【事件の表示】
　平成１０年特許願第３１９７３３号「プレス用パンチリテーナー装置」拒絶査定不服審判事件〔平成１２年　４月１８日出願公開、特開２０００−１０８０９２〕について、次のとおり審決する。
【結　論】
　本件審判の請求は、成り立たない。
【理　由】
第１　手続の経緯・本件出願の発明
　本件出願は、平成１０年１０月５日の特許出願であって、平成２０年７月１日に手続補正がなされ、平成２０年８月２７日付けで拒絶査定がされ、これに対し、平成２０年１０月１日に本件審判請求がなされたものである。
　
　本件出願の特許請求の範囲の請求項１に係る発明（以下「本件出願の発明」という。）は、願書に添付した明細書及び図面の記載からみて、上記請求項１に記載された事項により特定されるとおりの以下のものであると認める。　
　
「【請求項１】　カム板が前進したときはパンチがリテーナーブロックの下面からストローク分突出し、かつカム板が後退したときはパンチがリテーナーブロック内にストローク分引込む如く構成し、パンチセットブロックの中央付近に設けたパンチ孔の側面よりパンチ用ボールプランジャーのボールを適宜突設させ、パンチ孔の下方よりボールロックパンチを挿入し、ボールロックパンチの側面に形設したロック溝にボールを入り込ませることによりボールロックパンチを固定してなるプレス用パンチリテーナー装置において、エアーシリンダーのスライド軸の先端に設けた腕片の上部の腕片嵌合部と、カム板の底部に設けたカム嵌合部とを着脱自在に嵌合させてなるカム具を設けたことを特徴とするプレス用パンチリテーナー装置。」
　
第２　刊行物
　これに対し、原査定の拒絶の理由に引用された本件出願前に日本国内において頒布された刊行物である実願昭６０−１３２５７９号（実開昭６２−４１４１８号）のマイクロフィルム（以下「刊行物」という。）の記載内容は以下のとおりである。
　
１　刊行物記載の事項
　刊行物には以下の事項が記載されている。
　
（１）第２ページ第１〜４行
「産業上の利用分野
　この考案は、プレスによるピアス加工において、そのピアス加工の有無を選択的に切り換える装置に関する。」
　
（２）第５ページ第６行〜第６ページ第１０行
「第１図〜第３図は本考案のより具体的な第１の実施例を示す図である。
　上型１には有底形状のケーシング１０が固定されており、ケーシング１０内には角柱状の４つのスライドブロツク１１Ａ，１１Ｂ，１１Ｃ，１１Ｄが相互に密着するようにして収容されている。これらのスライドブロツク１１Ａ〜１１Ｄは、ケーシング１０及び隣接するスライドブロツクに案内されてそれぞれ単独で上下方向に摺動可能であり、ロツド１２に外挿したコイルばね１３により上方に付勢されている。そして、各スライドブロツク１１Ａ〜１１Ｄの上昇限位置はケーシング１０の内底面１０ａにより規制され、また下降限位置はケーシング１０の下端のストツパーブロツク１４により規制される。
　スライドブロツク１１Ａ〜１１Ｄの先端には、ポンチリテーナ１５に保持されたピアスポンチ１６が取り付けられている。ポンチリテーナ１５には第４図および第５図に示すようにコイルばね１７とスチールボール１８とからなるボールロツク機構１９が内臓されており、このボールロツク機構１９によりピアスポンチ１６が位置決め保持されている。そして、ポンチリテーナ１５はバツクプレート２０とともにノツクピン２１とボルト２２によりスライドブロツク１１Ａ〜１１Ｄに位置決め固定されているものである。」
　
（３）第６ページ第１６行〜第７ページ第１３行
「尚、ボールロツクタイプのポンチリテーナ１５は例えば実願昭５６−１２６３６１号に示されるように公知であり、操作孔２３に針状の治具を差し込んでスチールボール１８を押し上げることにより、ピアスポンチ１６のワンタツチ脱着が行える。
　ケーシング１０の上部には各スライドブロツク１１Ａ〜１１Ｄに対応するキープレート２４ａ〜２４Ｄが配設されている。これらのキープレート２４Ａ〜２４Ｄはそれぞれにエアシリンダ２５のピストンロッド２５ａにロツド２６を介して連結されており、各キープレート２４Ａ〜２４Ｄの先端にはスライドブロツク１１Ａ〜１１Ｄ側の傾斜面２７に対応する傾斜面２８が形成されている。
　したがつて、各キープレート２４Ａ〜２４Ｄはエアシリンダ２５のはたらきにより、ケーシング１０の内底面１０ａと該当するスライドブロツク１１Ａ〜１１Ｄとの間に進入した位置と、この進入位置から退避した位置との間でスライドする。」
　
（４）第７ページ第１８行〜第８ページ第１５行
「このような切換装置は次のように作用する。
　例えば第１図および第２図においてはキープレート２４Ａ，２４Ｂが進入位置にあり、残りのキープレート２４Ｃ，２４Ｄが退避位置にある状態について示しているから、スライドブロツク１１Ａ，１１Ｂのみが下降位置にある。このため上型１が下降動作したときにはピアスポンチ１６ａ，１６ｂについてのみピアス加工がおこなわれる。
　逆に第１図の状態からキープレート２４Ａ，２４Ｂを退避させるとともにキープレート２４Ｃ，２４Ｄを前進させると、スライドブロツク１１Ａ，１１Ｂがコイルばね１３の力により上昇するのに対し、スライドブロツク１１Ｃ，１１Ｄは傾斜面２７，２８同士の摺接によりキープレート２４Ｃ，２４Ｄの厚さ分だけ降下する。このためピアスポンチ１６ａ，１６ｂと１６ｃ，１６ｄとの相対高さ位置関係が第１図の状態と逆になる。その結果、ピアスポンチ１６ｃ，１６ｄのみによる加工が可能となる。」
　
（５）キープレート２４Ａ，２４Ｃは、エアシリンダ２５のピストンロツド２５ａにロツド２６を介して連結された垂直部分と、この垂直部分の上部に一体に連結され進入時にスライドブロツク１１Ａ，１１Ｃを降下させる水平部分とからなること。（第１図参照。）
　
（６）ピアスポンチ１６は、ケーシング１０の外に配置され、ポンチリテーナ１５に設けたピアスポンチ１６の挿入孔の下方より挿入されること。（第１図及び第４図参照。）
　
（７）ポンチリテーナ１５には、その一端部寄りにピアスポンチ１６の挿入孔が設けられており、ボールロツク機構１９のスチールボール１８は、ポンチリテーナ１５に設けたピアスポンチ１６の挿入孔の側面より突設して、ピアスポンチの側面に形設したロック溝に入り込むように構成されていること。（第４図及び第５図参照。）
　
２　刊行物記載の発明
　刊行物記載の事項を、技術常識を考慮しながら本件出願の発明に照らして整理すると、刊行物には以下の発明が記載されていると認める。
　
「キープレートが前進したときはケーシングの外に配置されているピアスポンチがケーシングに対してキープレートの厚さ分だけ突出し、かつキープレートが後退したときは前記ピアスポンチがケーシングに対してキープレートの厚さ分だけ引込む如く構成し、ケーシング内に収容されたスライドブロツクの先端に固定されたポンチリテーナの一端部寄りに設けたピアスポンチの挿入孔の側面よりコイルばねとスチールボールとからなるボールロツク機構のスチールボールを突設させ、前記挿入孔の下方よりピアスポンチを挿入し、ピアスポンチの側面に形設したロック溝にスチールボールを入り込ませることによりピアスポンチを固定してなるプレス加工に用いられるピアスポンチの切換装置において、キープレートは、エアシリンダのピストンロツドにロツドを介して連結された垂直部分と、この垂直部分の上部に一体に連結され進入時にスライドブロツクを降下させる水平部分とからなるプレス加工に用いられるピアスポンチの切換装置。」
　
第３　対比
　本件出願の発明と刊行物記載の発明とを対比すると以下のとおりである。
　刊行物記載の発明におけるキープレートの「エアシリンダのピストンロツドにロツドを介して連結された垂直部分」は、エアーシリンダーのスライド軸の先端に設けた腕片ということができるものであり、また、同じく「垂直部分の上部に一体に連結され進入時にスライドブロツクを降下させる水平部分」は、カム板ということができるものである。
　したがって、刊行物記載の発明の「キープレート」は、「エアーシリンダーのスライド軸の先端に設けた腕片とカム板とからなるカム具」であるという限りで、本件出願の発明の「カム具」と共通している。
　また、刊行物記載の発明の「ピアスポンチ」は本件出願の発明の「パンチ」ないし「ボールロックパンチ」に相当し、同様に、「ケーシング」は「リテーナーブロック」に、「突設させ」は「適宜突設させ」に相当することが明らかである。
　そして、刊行物記載の発明において「キープレートが前進したときはピアスポンチがケーシングに対してキープレートの厚さ分だけ突出し、かつキープレートが後退したときはピアスポンチがケーシングに対してキープレートの厚さ分だけ引込む如く構成」されていることは、「カム板が前進したときはパンチがリテーナーブロックに対してストローク分突出し、かつカム板が後退したときはパンチがリテーナーブロックに対してストローク分引込む如く構成」されているという限りで、本件出願の発明において「カム板が前進したときはパンチがリテーナーブロックの下面からストローク分突出し、かつカム板が後退したときはパンチがリテーナーブロック内にストローク分引込む如く構成」されていることと共通している。
　また、刊行物記載の発明の「ケーシング内に収容されたスライドブロツク」及びその先端に固定された「ポンチリテーナ」は、ピアスポンチの挿入孔、すなわち、パンチ孔の設けられる位置の違いを除いて、両者併せて、本件出願の発明の「パンチセットブロック」と共通するものである。
　そして、刊行物記載の発明の「コイルばねとスチールボールとからなるボールロツク機構」、「スチールボール」は、それぞれ本件出願の発明の「パンチ用ボールプランジャー」、「ボール」に相当することが明らかである。
　また、刊行物記載の発明は「プレス加工に用いられるピアスポンチの切換装置」として表現されているが、本件出願の発明と同様に「プレス用パンチリテーナー装置」としても表現できるものである。
　
　したがって、本件出願の発明と刊行物記載の発明とは以下の点で一致している。
「カム板が前進したときはパンチがリテーナーブロックに対してストローク分突出し、かつカム板が後退したときはパンチがリテーナーブロックに対してストローク分引込む如く構成し、パンチセットブロックに設けたパンチ孔の側面よりパンチ用ボールプランジャーのボールを適宜突設させ、パンチ孔の下方よりボールロックパンチを挿入し、ボールロックパンチの側面に形設したロック溝にボールを入り込ませることによりボールロックパンチを固定してなるプレス用パンチリテーナー装置において、エアーシリンダーのスライド軸の先端に設けた腕片とカム板とからなるカム具を設けたプレス用パンチリテーナー装置。」
　
　そして、本件出願の発明と刊行物記載の発明とは、以下の３点で相違している。
　
１　相違点１　
　本件出願の発明では、パンチがリテーナーブロックの下面から突出したり、リテーナーブロック内に引込むように構成されているのに対して、刊行物記載の発明では、パンチがリテーナーブロックに対して突出したり、引込むように構成されているものの、パンチ自体はリテーナーブロックの外に配置されている点。
　
２　相違点２
　本件出願の発明では、パンチ孔がパンチセットブロックの中央付近に設けられているのに対して、刊行物記載の発明では、パンチ孔がパンチセットブロックの一端部寄りに設けられている点。
　
３　相違点３
　本件出願の発明では、カム具が、エアーシリンダーのスライド軸の先端に設けた腕片の上部の腕片嵌合部と、カム板の底部に設けたカム嵌合部とを着脱自在に嵌合させて構成されているのに対して、刊行物記載の発明では、腕片とカム板とが一体に構成されている点。
　
第４　相違点についての検討
１　相違点１について                            　
　相違点１における本件出願の発明と刊行物記載の発明との違いは、結局、パンチを、リテーナーブロック内で固定するか、それとも、リテーナーブロック外で固定するかの違いに帰着するところ、両者のいずれを選択するかは、製作や取扱い上の難易度等を勘案して、適宜決定すればよい単なる設計的事項にすぎない。
　
２　相違点２について              
　パンチ孔をパンチセットブロックのどこに設けるかは、必要に応じて適宜決定すればよい単なる設計的事項にすぎない。
　
３  相違点３について
　着脱自在な嵌合手段自体は、例示するまでもなく周知であるところ、一方の部材から他方の部材へ往復運動を伝達するために、両部材を当該運動が可能となるように着脱自在に嵌合することは、例えば、特開昭６３−１５４１９０号公報の第１図の駆動子３と内刃４にみられるように、必要に応じてなしうる設計的事項にすぎない。
　
４　本件出願の発明の効果について
　本件出願の発明の採用する構成によってもたらされる効果も、刊行物記載の発明及び上記従来周知の事項から当業者であれば予測できる程度のものであって格別のものではない。
　
第５　むすび
　したがって、本件出願の発明は、刊行物記載の発明、及び従来周知の事項に基づいて、当業者が容易に発明をすることができたものであるから、特許法第２９条第２項の規定により特許をすることができない。
　よって、本件出願は拒絶されるべきであるから、結論のとおり審決する。